(57)【要約】改善されたスプレイスルーキャップアセンブリ１０は、分離可能な基部１１とカバー部１３とを備える。基部は中空のアクチュエータ１７を含み、アクチュエータ１７はエアゾールなどの出口と共同するように構成される。アクチュエータは基部とカバー部のそれぞれ対応するくぼみによって形成された液体の流れるチャネル１９とノズル出口２０とにリンクされる。カバー部を押すと、アクチュエータは出口を作動させ、エアゾールの内容物は液体の流れるチャネルを介してノズル出口から放出される。偶然の放出を防ぐために、１実施形態では、基部は突起リップ部２２を含み、カバー部はノーズ部２１を含み、リップ部とノーズ部は非動作位置では共同してアクチュエータが出口を作動させることを防ぐ。別の実施形態では、カバー部は２つの分離可能な部品から形成され、液体の流れるチャネルとノズルの出口はカバー部の部品の対応するくぼみによって形成される。この実施形態では、カバー部と基部を分離してからカバー部のそれぞれの部品を分離して清掃でき、これによって清掃の時に偶然の放出を防ぐことができる。
2004506577.tif 000002
【特許請求の範囲】
【請求項１】
ノズル出口を有するノズル構成を組み込んだ、改善されたスプレイスルーキャップアセンブリであって、前記アセンブリは、
作動すると、圧力のかかった内容物を含む容器の出口と係合するように構成されたアクチュエータ部材と、
ユーザが操作すると、前記アクチュエータ部材が前記容器の出口を作動させ、前記内容物を前記ノズル構成の中に放出させ前記ノズル出口から放出させるアクチュエータとを備え、
前記アセンブリの少なくとも一部は作動位置と非作動位置の間で移動可能であり、
前記アクチュエータ部材は、作動位置にある時には、前記アクチュエータの作動によって前記アクチュエータ部材を容器の出口と係合させる位置になり、
前記アクチュエータ部材は、非作動位置にある時には、前記アクチュエータの作動によって前記アクチュエータ部材が前記容器の出口と係合しない位置になる改善されたスプレイスルーキャップアセンブリ。
【請求項２】
前記アセンブリは基部とカバー部とを備え、前記基部と前記カバー部は分離可能である請求項１に記載のアセンブリ。
【請求項３】
前記基部とカバー部はそれぞれ、前記非作動位置で共同して作動を防ぐことのできる保持構造を含む請求項１または２に記載のアセンブリ。
【請求項４】
前記保持構造は、前記基部にリップ部を備え、前記カバー部にノーズ部をそれぞれ備える請求項３に記載のアセンブリ。
【請求項５】
前記カバー部は弾性のある蝶番によって前記基部に接続され、前記基部と取り外し可能に係合できる請求項２から４のいずれか一項に記載のアセンブリ。
【請求項６】
前記カバー部は２つの分離可能だが接続された部品として形成される請求項２から５のいずれか一項に記載のアセンブリ。
【請求項７】
前記カバー部の部品は弾性のある接続部によって接続され、これによって、前記部品は互いに枢動して分離できる請求項６に記載のアセンブリ。
【請求項８】
前記弾性のある接続部は前記部品が互いに対して少なくとも１８０度枢動できる接続部である請求項７に記載のアセンブリ。
【請求項９】
ノズル出口を有するノズル構成を組み込んだ、改善されたスプレイスルーキャップアセンブリであって、前記アセンブリは、
作動すると、圧力のかかった内容物を含む容器の出口と係合するように構成されたアクチュエータ部材と、
ユーザが操作すると前記アクチュエータ部材が前記容器の出口を作動させて前記内容物を前記ノズル構成の中に放出させ前記ノズル出口から放出させるアクチュエータとを含み、
前記アセンブリは互いに近づいたり離れたりするように動作できる、取り外し可能に接続された部品として形成され、
前記部品のうち少なくとも１つは前記ノズル構成と前記アクチュエータ部材とを備え、分離して清掃できる少なくとも２つの相互接続された部品によって形成される改善されたスプレイスルーキャップアセンブリ。
【発明の詳細な説明】
【０００１】
（技術分野）
本発明は、ノズル構成とノズル出口を含む種類の改善されたスプレイスルーキャップアセンブリに関する。
【０００２】
（従来技術）
スプレイスルーキャップアセンブリは従来、空気清浄スプレー容器、または圧力をかけて容器の出口から投薬する内容物を含む他の容器の上を閉じるために使用されている。スプレイスルーキャップアセンブリは通常、作動すると、容器の出口と係合できるように構成されたアクチュエータ部分と、動作してアクチュエータ部分とリンクするアクチュエータとを備える。ユーザがスプレイスルーアセンブリのアクチュエータを操作すると、アクチュエータ部分は容器の出口を作動させ、容器の内容物に圧力をかけて容器からスプレイスルーキャップのノズル構成とノズル出口を介して出ることを可能にする。スプレイスルーキャップアセンブリは通常、ノズル構成の内部が掃除できるように分離できる、２つの別々ではあるが結合された部品として形成される。
【０００３】
毒物または他の有害な物質を含む容器に対してスプレイスルーキャップをアクチュエータとして使用することから、問題が生じている。その理由は、アクチュエータを偶然押すことによってスプレイスルーキャップを作動させ、容器の内容物を出してしまう可能性があることである。したがって、たとえば、子供が容器を扱う場合、偶然内容物が放出される可能性がある。容器の内容物の放出は、容器の向きによっては人の顔にかかり、重大な傷害を引き起こすことが明らかである。さらに、これらの製品が危険物または毒物であった場合、内容物を放出しただけで人の健康に重大な危害が加えられる可能性がある。
【０００４】
従って、本発明の第１の目的は、容器の内容物が偶然放出される可能性を除去することのできる、スプレイスルーキャップアセンブリを提供することである。
【０００５】
また、アセンブリの部品を分解して清掃すると、アクチュエータを偶然作動させ、この結果、容器の内容物が人の顔にかかる原因となる可能性があるという事実からも問題が生じている。
【０００６】
従って、本発明の第２の目的は、容器の内容物が偶然放出されることなく分離して清掃できるスプレイスルーキャップアセンブリを提供することである。
【０００７】
従って本発明の第１の態様によれば、ノズル出口を有するノズル構成を組み込んだ、改善されたスプレイスルーキャップアセンブリが提供され、このアセンブリは、作動すると、圧力のかかった内容物を含む容器の出口と係合するように構成されたアクチュエータ部材と、ユーザが操作するとアクチュエータ部材が容器の出口を作動させ内容物をノズル構成の中に放出させノズル出口から放出させるアクチュエータとを含み、アセンブリの少なくとも一部は作動位置と非作動位置の間で動くことができ、アクチュエータ部材を作動位置にするとアクチュエータの作動によりアクチュエータ部材が作動して容器の出口と係合する位置になり、非作動位置では、アクチュエータ部材は、アクチュエータが作動してもアクチュエータ部材と容器の出口が係合しない位置になる。
【０００８】
この構成で、偶然の放出が回避できるスプレイスルーキャップアセンブリを提供することができる。
【０００９】
本発明の第２の態様によれば、ノズル出口を有するノズル構成を組み込んだ改善されたスプレイスルーキャップアセンブリが提供され、このアセンブリは、作動すると、圧力をかけられた内容物を含む容器の出口と係合するように構成されたアクチュエータ部材と、ユーザが操作するとアクチュエータ部材が容器の出口を作動させて内容物をノズル構成の中に放出させノズル出口から放出させるアクチュエータとを備え、このアセンブリは、互いに近づいたり離れたりするように動かせる、取り外し可能に接続された部品として形成され、この部品のうち少なくとも１つはノズル構成とアクチュエータ部材とを備え、分離して清掃できる少なくとも２つの相互接続された部品によって形成される。
【００１０】
この構成で、アクチュエータを容器の出口から離した後で、ノズル構成の部品を分離し清掃することができ、これによって清掃の間偶然放出されるチャンスが回避されることが理解されるであろう。
【００１１】
次に、例示的な意味でのみ付随する図面を参照しながら本発明を説明する。
【００１２】
次に図面を参照すると、図１には、本発明の第１の態様によるスプレイスルーキャップアセンブリの１形態が示されている。
【００１３】
スプレイスルーキャップアセンブリ１０は、底面１２で圧力のかかった内容物を含むキャニスタ（図示せず）の上と係合するように構成された基部１１と、弾性のある蝶番１４で基部１１に接続するカバー部１３とを備える。基部１１とカバー部１３は、互いに取り外し可能に係合するように構成される。基部１１、カバー部１３、蝶番１４はアセンブリと一体として形成することもできるし、別の部品としてアセンブリに接続することもできる。スプレイスルーキャップアセンブリはノズル構成１６を含み、ノズル構成１６は、基部１１の上面１８から基部の内部に下向きに伸びる中空のアクチュエータ部材１７と、アクチュエータ部材１７の内部と液体が流れる接続を提供する液体が流れるチャネル１９によって形成され、ノズル出口２０で終了する（図２を参照のこと）。この実施形態では、基部１１とカバー部１３は共同するくぼみを有し、これらのくぼみは部品１１と１３のそれぞれの縁で開いて終端している。基部１１とカバー１３が外れるように係合すると、共同するくぼみは液体の流れるチャネル１９を画定し、開いた端は共同してノズル出口２０を形成する。カバー１３は下向きに突起するノーズ部２１を含み、ノーズ部２１は基部１１に備えられたリップ部２２と取り外し可能に共同するように構成される。別法としては、突起ノーズ部２１を基部１１に備え、リップ部２２をカバー部１３に備えてもよい。カバー１３の上面は、カバー１３の少なくとも一部の上に突き出たリブ部２３を含み、スプレイスルーキャップアセンブリが作動している間に正の接触を促進する。
【００１４】
スプレイスルーキャップの少なくとも基部１１は柔軟な材料から形成され、好ましくは、スプレイスルーキャップアセンブリの側壁２４（図２）が圧力を加えられると変形できるようなプラスチック材料で形成される。
【００１５】
使用に際しては、スプレイスルーキャップアセンブリは圧力のかかった内容物を含む従来のエアゾール缶の上に係合する。容器の上に係合すると、アクチュエータ１７は容器の出口の近くの位置になる。
【００１６】
次に図２を参照すると、カバー１３が基部１１と取り外し可能に係合すると、カバーの突起ノーズ部２１は基部１１にあるリップ部２２の下に係合し、これによって、カバー１３を閉じた位置に保つということが分かる。この位置で、アクチュエータ部材１７は、カバー１３の上をユーザが押すとアクチュエータ部材１７が、キャニスタの出口と係合してキャニスタの出口を作動させ、キャニスタの内容物がアクチュエータ部材１７の内部、液体の流れるチャネル１９、およびノズル出口２０を介して放出される位置になるように構成される。基部１１の側壁２４に圧力をかけることによって基部１１のリップ部２２の下から突起ノーズ部２１が解放されると、突起ノーズ部２１は突起リップ部２２の上に係合する位置になることが理解されるであろう。このような場合、ノーズ部２１がこの位置にあると、カバー１３が押されるとノーズ部２１がリップ２３の上と係合していることによってカバー１３の動きが制限され、アクチュエータが容器の出口を作動させず、これによって圧力のかかった内容物がアクチュエータ１７の内部に放出されないように、アクチュエータ部材１７は容器の出口から離れた位置になるように構成される。スプレイスルーキャップをもう一度動作可能にするためには、基部１１の側壁２４に圧力をかけ、図２に示されるように突起ノーズ部２１を突起リップ部２２の下にしなければならない。
【００１７】
この構成で、容器がカバー１３の突起ノーズ部２１が基部の突起リップ部２２の上に安定した状態である場合、容器の偶然の作動を防げることが理解されるであろう。この構成では、スプレイスルーキャップアセンブリは動作できず、たとえば子供や他の人が取り上げても、容器の内容物が偶然放出されることはない。
【００１８】
本発明の構成では、偶然の放出が回避され、さらに、スプレイスルーキャップを動作可能にする操作が非常に難しいので、チャイルドプルーフ構成になったスプレイスルーキャップが提供できることが理解されるであろう。
【００１９】
本発明の第２の態様によるスプレイスルーキャップアセンブリは図５に示されている。このアセンブリでは、カバー１３は２つの別々の、上のカバー部品２３と下のカバー部品２４とから形成され、これらは互いに取り外し可能に係合でき、清掃ために分離することができる。
【００２０】
上のカバー部品２３と下のカバー部品２４は中に対応するくぼみを有し、これらのくぼみはカバー１３の縁で開いて終了しており、カバー部品２３と２４が取り外し可能に係合すると、それぞれのくぼみは共同して液体の流れるチャネル１９を形成し、開いた端は共同してノズル出口２０を形成する。カバー部品２３と２４は別々に形成してもよいし、相互接続してもよい。さらに、カバー部品２３と２４はアセンブリと一体として形成してもよいし、アセンブリから取り外せるようにアセンブリに接着してもよい。好ましい構成では、カバー部品２３と２４はそれぞれ弾性のある蝶番によって基部１１に接着される。アクチュエータ部材１７は下のカバー部品２３から垂れ下がり、カバー部品２３と２４が係合すると、アクチュエータ部材１７の中空の内部は液体の流れるチャネル１９とノズル出口２０とに液体が流れるように接続する。
【００２１】
突起ノーズ部２１をこの実施形態で使用することは本質的ではないが、使用する場合、前の実施形態と同様に、突起ノーズ部２１を上のカバー部品２４または下のカバー部品２３に備え、突起リップ部２２を基部１１に備えてもよいし、またはその逆でもよい。別法としては、場合によるかまたは適切であれば、作動を防ぐように、基部１１と関連してカバー部品２３と２４をロックする任意の他の適切なロック構成を使用することができる。
【００２２】
この構成ではノズル構成の清掃は、２つのカバー部品２３と２４を分離しくぼみを清掃することによって実行できることが理解されるであろう。さらに、カバー部品２３と２４は、カバー１３を基部１１から外した後に分離できるので、容器が偶然に作動する可能性はなくなる。これはさらに、弾性のある蝶番１４によりカバー部１３が１８０度枢動でき、カバー部品２３と２４はこのように枢動した後分離でき、これによってカバー部品２３と２４を分離して清掃すると、偶然の作動が起きないという事実によっても促がされる。別法としては、カバー部１３は少なくとも部分的または完全にアセンブリから外すことができ、カバー部品２３と２４は外した後に分離できるように構成してもよい。
【００２３】
さらに別法としては、下のカバー部品２３は基部１１と取り外し可能に係合してもよい。この場合、ノーズ部２１とリップ部２２のうち１つは、基部１１と上のカバー部品２４にそれぞれ備えられ、これによって、ノーズ部２１とリップ部２２が非動作位置にある時にこれらが係合することによって、上のカバー部品２４のアクチュエータが作動している時にカバー部品２３のアクチュエータ部分が容器の出口と接触することを防ぐことができる。これは、上の部分２４と下の部分２３が非動作位置にある時には上の部分２４が下の部分２３から分離でき、容器の内容物を偶然放出する可能性なしに清掃できることを意味する。
【００２４】
もちろん、本発明は例示的にのみ説明された上記の実施形態の詳細に限定することが目的でないことを理解されたい。
【図面の簡単な説明】
【図１】
本発明の第１の態様によるスプレイスルーキャップアセンブリの１つの形態の斜視図である。
【図２】
図１のキャップの側面の断面図である。
【図３】
図１のキャップの上面図である。
【図４】
図１のキャップの下の平面図である。
【図５】
本発明の第２の態様によるスプレイスルーキャップアセンブリの１つの形態の側面図である。
【国際公開パンフレット】
2004506577.tif 000003
2004506577.tif 000004
2004506577.tif 000005
2004506577.tif 000006
2004506577.tif 000007
2004506577.tif 000008
2004506577.tif 000009
2004506577.tif 000010
2004506577.tif 000011
2004506577.tif 000012
2004506577.tif 000013
2004506577.tif 000014
2004506577.tif 000015
2004506577.tif 000016
2004506577.tif 000017
2004506577.tif 000018
【手続補正書】
【提出日】平成14年10月31日(2002.10.31)
【手続補正１】
【補正対象書類名】明細書
【補正対象項目名】特許請求の範囲
【補正方法】変更
【補正の内容】
【特許請求の範囲】
【請求項１】
ノズル出口を有するノズル構成を組み込んだスプレイスルーキャップアセンブリであって、前記アセンブリは、
作動すると、圧力のかかった内容物を含む容器の出口と係合するように構成されたアクチュエータ部材と、
ユーザが操作すると前記アクチュエータ部材を作動させ前記内容物を前記容器の出口から前記ノズル構成の中に放出し前記ノズル出口を介して放出させるアクチュエータとを備え、
前記アセンブリは基部とカバー部とを備え、前記カバー部は前記基部と取り外し可能に接続でき、さらに、前記ノズル構成と前記アクチュエータ部材とを備えるアセンブリであって、
前記カバー部は、分離して清掃できる少なくとも２つの取り外し可能に接続できる部品から形成されるスプレイスルーキャップアセンブリ。
【請求項２】
前記カバー部は前記基部と一体として形成される請求項１に記載のスプレイスルーキャップアセンブリ。
【請求項３】
前記カバー部は弾性のある蝶番によって前記基部に接続される請求項１または２のいずれか一項に記載のスプレイスルーキャップアセンブリ。
【請求項４】
前記弾性のある蝶番は前記基部と前記カバー部が互いに少なくとも１８０度枢動することを容易にする請求項３に記載のスプレイスルーキャップアセンブリ。
【請求項５】
前記カバー部の前記少なくとも２つの取り外し可能に接続できる部品は、上部と下部である請求項１から４のいずれか一項に記載のスプレイスルーキャップアセンブリ。
【請求項６】
前記上部と下部は分離される請求項５に記載のスプレイスルーキャップアセンブリ。
【請求項７】
前記上部と下部は相互接続される請求項５に記載のスプレイスルーキャップアセンブリ。
【請求項８】
前記上のカバー部品と前記下のカバー部品はそれぞれ弾性のある蝶番によって前記基部に接続される請求項７に記載のスプレイスルーキャップアセンブリ。
【請求項９】
前記アクチュエータ部材は前記下のカバー部から垂れ下がり、
前記上部と下部が取り外し可能に係合すると、前記上部と下部は対応するくぼみを有し、前記くぼみは共同して、前記アクチュエータ部材と前記ノズル出口の間に液体の流れる接続を提供する液体の流れるチャネルを形成する請求項５から８のいずれか一項に記載のスプレイスルーキャップアセンブリ。
【請求項１０】
ロッキング構成が提供されて前記カバー部を前記基部に対してロックし、前記上部と下部を分離して清掃している間に前記ノズルが偶然作動することを防ぐ請求項５から９のいずれか一項に記載のスプレイスルーキャップアセンブリ。
【請求項１１】
前記ロックは前記上のカバー部品または前記下のカバー部品の対応するリップ部と係合するノーズ部を備える基部によって形成される請求項１０に記載のスプレイスルーキャップアセンブリ。
【請求項１２】
前記ロックは前記基部の対応するリップ部と係合するノーズ部を備える上のカバー部品または下のカバー部品によって形成される請求項１０に記載のスプレイスルーキャップアセンブリ。
【請求項１３】
前記下部は前記基部と取り外し可能に係合でき、前記上部は前記下部が前記基部と係合している時には前記下部から分離できて清掃を容易にする請求項５から１０のいずれか一項に記載のスプレイスルーキャップアセンブリ。
【請求項１４】
前記上部は、前記基部のノーズ部と係合して前記上のカバー部を前記基部に対してロックし、前記アセンブリを偶然作動させる可能性なしに清掃できるようにするリップ部を備える請求項１３に記載のスプレイスルーキャップアセンブリ。
【請求項１５】
請求項５から１２に記載のスプレイスルーキャップアセンブリを清掃する方法であって、前記方法は、
前記カバー部を前記基部から分離するステップと、
ついで、前記上のカバー部品と下のカバー部品を分離して清掃するステップとを含む方法。
【請求項１６】
請求項１３と１４に記載のスプレイスルーキャップアセンブリを清掃する方法であって、前記方法は、前記上のカバー部品を前記下のカバー部品から分離するステップを含む方法。
【国際調査報告】
2004506577.tif 000019
2004506577.tif 000020